(57)【要約】      （修正有）【課題】物品吊下げ機能及び照明機能を兼ね備えた室内照明フックランプを提供する。【解決手段】室内照明フックランプは、壁ベース１０、前部カバー２０、照明装置３０、吊下げ部４０、電源５０及び壁板６０を備えるとともに、壁板６０上に取付け可能であり、照明機能及び吊下げ機能を有する。壁ベース１０は、その中に電源５０及び壁板６０を収容する中空チャンバを有する。前部カバー２０は壁ベース１０の前端に嵌着される。前部カバー２０の底端には装着溝２２が形成される。装着溝２２の底端には位置規制部２３及び軸孔２４が設けられる。装着溝２２内には磁性部材が配設される。照明装置３０は前部カバー２０に固設される。ランプホルダ３１には照明部材３２が嵌設される。ランプホルダ３１内には複数の位置規制溝が形成される。電源５０は、照明装置３０と電気的に接続され、照明装置３０に電気エネルギーを供給する。壁板６０は壁面上に固着される。【選択図】図２
0003226276.tif 000002
【実用新案登録請求の範囲】
【請求項１】
壁ベース、前部カバー、照明装置、吊下げ部、電源及び壁板を備えるとともに、前記壁板に取付け可能であり、照明機能及び吊下げ機能を有する室内照明フックランプであって、
前記壁ベースは、その中に前記電源及び前記壁板を収容する中空チャンバを有し、
前記前部カバーは、前記壁ベースの前端に嵌着され、前記前部カバーの底端には、装着溝が形成され、前記装着溝の底端には、位置規制部及び軸孔が設けられ、前記装着溝内には、磁性部材が配設され、
前記照明装置は、前記前部カバーに固設され、ランプホルダには、照明部材が嵌設され、前記ランプホルダ内には、複数の位置規制溝が形成され、前記照明部材の外径上には、位置規制凸縁が設けられ、前記位置規制凸縁は、前記位置規制溝内に嵌設されて位置拘束され、
前記吊下げ部は、底端の接続孔に軸棒が挿設され、前記軸棒の他端は、前記前部カバーの軸孔中に挿通され、前記吊下げ部が前記装着溝内に位置拘束されて前記軸棒を中心に旋回し、前記吊下げ部の底端には、位置規制ベースが設けられ、前記位置規制ベースの上方には、吊下げベースが形成され、
前記電源は、前記照明装置と電気的に接続され、前記照明装置に電気エネルギーを供給し、
前記壁板は、壁面上に固着されることを特徴とする、室内照明フックランプ。
【請求項２】
前記壁ベースの両側には、端子コネクタがそれぞれ設けられることを特徴とする請求項１に記載の室内照明フックランプ。
【請求項３】
前記壁ベースの頂端には、第１の組立孔が形成され、前記第１の組立孔を介して前記壁板の頂端が螺着されることを特徴とする請求項１に記載の室内照明フックランプ。
【請求項４】
前記前部カバーの頂端には、第２の組立孔が形成され、前記第２の組立孔を介して前記照明装置の前記ランプホルダが螺着されることを特徴とする請求項１に記載の室内照明フックランプ。
【請求項５】
前記前部カバーの底端には、前記装着溝が複数形成され、
前記吊下げ部は、前記装着溝と同じ数が設けられることを特徴とする請求項１に記載の室内照明フックランプ。
【考案の詳細な説明】
【技術分野】
【０００１】
本考案は、家庭用品に関するものであって、特に照明装置に関するものであり、さらに詳しくは、室内照明フックランプに関するものである。
【背景技術】
【０００２】
従来から物品を吊下げるための製品は数多く市販されているが、それらは吊下げる機能しか備えておらず、独創性に欠けていて消費者の様々な要求に応えることはできなかった。そのため、物品を吊下げるときも吊下げないときでも照明機能を利用することができるようにして消費者を満足させることができる物品吊下げ機能及び照明機能を兼ね備えた製品が求められてきた。
【考案の概要】
【考案が解決しようとする課題】
【０００３】
従って、本考案の課題は、前記の通り、従来技術の問題点を改善することが可能な室内照明フックランプを提供することにある。
【課題を解決するための手段】
【０００４】
そこで、本考案者は、本考案の前記課題を解決するため鋭意検討を重ねた結果、後述の如く、壁ベース、前部カバー、照明装置、吊り下げ部を少なくとも備えることにより、前記課題を解決できる点に着目し、かかる知見に基いて、本考案に想到するに至った。
【０００５】
すなわち、上記課題を解決するために、本考案の第１の形態によれば、壁ベース、前部カバー、照明装置、吊下げ部、電源及び壁板を備えるとともに、前記壁板上に取付け可能であり、照明機能及び吊下げ機能を有する室内照明フックランプであって、前記壁ベースは、その中に前記電源及び前記壁板を収容する中空チャンバを有し、前記前部カバーは、前記壁ベースの前端に嵌着され、前記前部カバーの底端には、装着溝が形成され、前記装着溝の底端には、位置規制部及び軸孔が設けられ、前記装着溝内には、磁性部材が配設され、前記照明装置は、前記前部カバーに固設され、ランプホルダには、照明部材が嵌設され、前記ランプホルダ内には、複数の位置規制溝が形成され、前記照明部材の外径上には、位置規制凸縁が設けられ、前記位置規制凸縁は、前記位置規制溝内に嵌設されて位置拘束され、前記吊下げ部は、底端の接続孔に軸棒が挿設され、前記軸棒の他端は、前記前部カバーの軸孔中に挿通され、前記吊下げ部が前記装着溝内に位置拘束されて前記軸棒を中心に旋回し、前記吊下げ部の底端には、位置規制ベースが設けられ、前記位置規制ベースの上方には、吊下げベースが形成され、前記電源は、前記照明装置と電気的に接続され、前記照明装置に電気エネルギーを供給し、前記壁板は、壁面上に固着されることを特徴とする室内照明フックランプが提供される。
【０００６】
かくして、本考案の要旨は、次の（１）〜（５）に記載の通りのものである。
【０００７】
（１）壁ベース、前部カバー、照明装置、吊下げ部、電源及び壁板を備えるとともに、前記壁板に取付け可能であり、照明機能及び吊下げ機能を有する室内照明フックランプであって、
前記壁ベースは、その中に前記電源及び前記壁板を収容する中空チャンバを有し、
前記前部カバーは、前記壁ベースの前端に嵌着され、前記前部カバーの底端には、装着溝が形成され、前記装着溝の底端には、位置規制部及び軸孔が設けられ、前記装着溝内には、磁性部材が配設され、
前記照明装置は、前記前部カバーに固設され、ランプホルダには、照明部材が嵌設され、前記ランプホルダ内には、複数の位置規制溝が形成され、前記照明部材の外径上には、位置規制凸縁が設けられ、前記位置規制凸縁は、前記位置規制溝内に嵌設されて位置拘束され、
前記吊下げ部は、底端の接続孔に軸棒が挿設され、前記軸棒の他端は、前記前部カバーの軸孔中に挿通され、前記吊下げ部が前記装着溝内に位置拘束されて前記軸棒を中心に旋回し、前記吊下げ部の底端には、位置規制ベースが設けられ、前記位置規制ベースの上方には、吊下げベースが形成され、
前記電源は、前記照明装置と電気的に接続され、前記照明装置に電気エネルギーを供給し、
前記壁板は、壁面上に固着されることを特徴とする、室内照明フックランプ。
【０００８】
（２）前記壁ベースの両側には、端子コネクタがそれぞれ設けられることを特徴とする前記（１）に記載の室内照明フックランプ。
【０００９】
（３）前記壁ベースの頂端には、第１の組立孔が形成され、前記第１の組立孔を介して前記壁板の頂端が螺着されることを特徴とする前記（１）に記載の室内照明フックランプ。
【００１０】
（４）前記前部カバーの頂端には、第２の組立孔が形成され、前記第２の組立孔を介して前記照明装置の前記ランプホルダが螺着されることを特徴とする前記（１）に記載の室内照明フックランプ。
【００１１】
（５）前記前部カバーの底端には、前記装着溝が複数形成され、
前記吊下げ部は、前記装着溝と同じ数が設けられることを特徴とする前記（１）に記載の室内照明フックランプ。
【考案の効果】
【００１２】
本考案の室内照明フックランプは、以下（１）及び（２）の効果を有する。
（１）吊下げ部は、吊下げベースと磁性部材との磁気吸引効果により装着溝内に収納され、吊下げ部を使用するときは、吊下げ部の底端近くに力を加えて押下げ、その加える力が磁性部材の磁気吸引力より大きくなると、吊下げ部が軸棒を中心に旋回し、旋回するときに吊下げ部の位置規制ベースが前部カバーの位置規制部に押し当てられると、吊下げ部の旋回が位置拘束により止まり、使用者が物品を吊下げ部の吊下げベースに吊下げることができ、使用者が物品を取り出す際、吊下げ部を装着溝に向かって押動するだけで、吊下げ部が軸棒を中心に旋回し、吊下げベースと磁性部材との磁気吸引効果により装着溝内に収納されるため、吊下げ部が不用意に外れて開いてしまうことを防ぐことができる。そのため、物品を吊下げるときも吊下げないときでも照明機能を利用することができるようにして消費者を満足させることができ、実用的価値が高く、普及させる価値がある。
（２）照明装置のランプホルダには、照明部材が嵌設され、ランプホルダ内には、複数の位置規制溝が形成され、照明部材の外径上には、位置規制凸縁が設けられ、位置規制凸縁は、位置規制溝に嵌設されて位置拘束可能であり、使用者が照明部材の照明角度を調整する場合、照明部材を旋回させ、照明部材及びその上に設けられた位置規制凸縁が力を受けて旋回し、他方の位置規制溝内に嵌設されて位置拘束されるため、照明角度を容易に調整することができる。
【図面の簡単な説明】
【００１３】
【図１】本考案の一実施形態に係る室内照明フックランプを示す斜視図である。
【図２】本考案の一実施形態に係る室内照明フックランプを示す分解斜視図である。
【図３】図１の組立断面図である。
【図４】本考案の一実施形態に係る室内照明フックランプの照明装置の分解斜視図である。
【図５】図４の部分拡大図である。
【図６】本考案の一実施形態に係る室内照明フックランプの吊下げ部材を実際に使用するときの状態を示す斜視図である。
【図７】本考案の一実施形態に係る室内照明フックランプの吊下げ部材を実際に使用するときの状態を示す組立断面図である。
【図８】本考案の一実施形態に係る室内照明フックランプの照明部材により照明角度を調整するときの状態を示す部分拡大図（１）である。
【図９】本考案の一実施形態に係る室内照明フックランプの照明部材により照明角度を調整するときの状態を示す部分拡大図（２）である。
【考案を実施するための形態】
【００１４】
本考案の技術手段及びそれにより達成可能な効果を、より完全かつ明白に開示するために、開示した添付の図面及び符号と併せて本考案を以下に詳説する。もっとも、本考案は、かかる図面により限定されるものではない。
【００１５】
図１〜図５を参照する。図１〜図５に示すように、本考案の一実施形態に係る室内照明フックランプは、壁板上に取付け可能であり、照明機能及び吊下げ機能を有する。本考案の一実施形態に係る室内照明フックランプは、壁ベース１０、前部カバー２０、照明装置３０、複数の吊下げ部４０、電源５０及び壁板６０から構成されてなる。
【００１６】
壁ベース１０は、その中に電源５０及び壁板６０を収容する中空チャンバ１１を含む。壁ベース１０の一側には、電源コードが取り付けられる端子コネクタ１２が設けられる。壁ベース１０の頂端には、第１の組立孔１３が形成される。
【００１７】
前部カバー２０は、壁ベース１０の前端に嵌着される。前部カバー２０の前端には、第２の組立孔２１が形成される。前部カバー２０の底端には、複数の装着溝２２が形成される。装着溝２２の底端には、位置規制部２３及び軸孔２４が設けられる。装着溝２２内には、磁性部材２５が配設される。
【００１８】
照明装置３０は、ランプホルダ３１を介して前部カバー２０の第２の組立孔２１に螺着される。ランプホルダ３１には、照明部材３２が嵌設される。ランプホルダ３１内には、複数の位置規制溝３３が形成される。照明部材３２の外径上には、位置規制凸縁３４が設けられる。位置規制凸縁３４は、位置規制溝３３内に嵌設されて位置拘束される。
【００１９】
吊下げ部４０は、前部カバー２０の装着溝２２と同じ数が設けられる。吊下げ部４０の底端には、軸棒４２を挿設させる接続孔４１が形成されている。軸棒４２の他端は、前部カバー２０の軸孔２４中に挿通され、吊下げ部４０を装着溝２２内に位置拘束し、軸棒４２を中心に旋回させ、吊下げ部４０の底端に位置規制ベース４３が設けられる。位置規制ベース４３の上方には、吊下げベース４４が形成される。
【００２０】
電源５０は、照明装置３０と電気的に接続される。上述した電源５０は、照明装置３０に電気エネルギーを供給する。
【００２１】
壁板６０は、壁ベース１０の中空チャンバ１１内に収容されるとともに、頂端が壁ベース１０の第１の組立孔１３に螺着される。壁板６０上には、固定孔６１が形成される。
【００２２】
壁板６０及び電源５０を壁ベース１０の中空チャンバ１１内に収容して固着し、壁板６０を壁ベース１０の第１の組立孔１３に螺着してから、前部カバー２０を壁ベース１０の前端に嵌着させる。前部カバー２０の第２の組立孔２１は、照明装置３０のランプホルダ３１に螺着する。ランプホルダ３１には、照明部材３２が嵌設される。吊下げ部４０の底端に形成された接続孔４１には、軸棒４２が挿通される。軸棒４２の他端が前部カバー２０の軸孔２４中に挿通されると、装着溝２２内に吊下げ部４０が位置拘束され、壁板６０が壁面上に固着される。
【００２３】
吊下げ部４０は、吊下げベース４４と磁性部材２５との磁気吸引効果により装着溝２２内に収納され、吊下げ部４０を使用するときは、図６及び図７に示すように、吊下げ部４０の底端近くに力を加えて押下げ、その加える力が磁性部材２５の磁気吸引力より大きくなると、吊下げ部４０が軸棒４２を中心に旋回する。旋回するときに吊下げ部４０の位置規制ベース４３が前部カバー２０の位置規制部２３に押し当てられると、吊下げ部４０の旋回が位置拘束により止まり、使用者が物品を吊下げ部４０の吊下げベース４４に吊下げることができ、使用者が物品を取り出す際、吊下げ部４０を装着溝２２に向かって押動するだけで、吊下げ部４０が軸棒４２を中心に旋回し、吊下げベース４４と磁性部材２５との磁気吸引効果により装着溝２２内に収納され、吊下げ部４０が不用意に外れて開いてしまうことを防ぐ。
【００２４】
図８及び図９を参照する。図８及び図９に示すように、照明装置３０のランプホルダ３１には、照明部材３２が嵌設される。ランプホルダ３１内には、複数の位置規制溝３３が形成される。照明部材３２の外径上には、位置規制凸縁３４が設けられる。位置規制凸縁３４は、位置規制溝３３内に嵌設されて位置拘束可能であり、使用者が照明部材３２の照明角度を調整する場合、照明部材３２を旋回させ、照明部材３２及びその上に設けられた位置規制凸縁３４が力を受けて旋回し、他方の位置規制溝３３内に嵌設されて位置拘束されるため、照明角度を容易に調整することができる。
【００２５】
当該分野の当業者が理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  壁ベース
１１  中空チャンバ
１２  端子コネクタ
１３  第１の組立孔
２０  前部カバー
２１  第２の組立孔
２２  装着溝
２３  位置規制部
２４  軸孔
２５  磁性部材
３０  照明装置
３１  ランプホルダ
３２  照明部材
３３  位置規制溝
３４  位置規制凸縁
４０  吊下げ部
４１  接続孔
４２  軸棒
４３  位置規制ベース
４４  吊下げベース
５０  電源
６０  壁板
６１  固定孔
【図１】
0003226276.tif 000003
【図２】
0003226276.tif 000004
【図３】
0003226276.tif 000005
【図４】
0003226276.tif 000006
【図５】
0003226276.tif 000007
【図６】
0003226276.tif 000008
【図７】
0003226276.tif 000009
【図８】
0003226276.tif 000010
【図９】
0003226276.tif 000011